(57)【要約】      （修正有）【課題】世話になった大切な故人を手元で絶えず見守り、掌に抱くこともできて、大切に供養するにふさわしい、重量感と荘重感を有するとともに美観的に優れた手元供養用骨つぼを提供する。【解決手段】手元供養用骨つぼは、アルミニウム合金からなる球体を一部カットした端面２と、この端面２から前記カットされた球体の内部をくり抜いて遺骨や遺品を収納するようにした収納部と、前記端面２の内周面に形成される固定側ねじ２Ｃを備える本体１と、写真を装着することができ、可動側ねじ４Ｇが形成される化粧板４と、前記本体１を保持する台座５とを具備する。【選択図】図１
0003158517.tif 000002
【実用新案登録請求の範囲】
【請求項１】
（ａ）アルミニウム合金からなる球体を一部カットした端面と、該端面から前記カットされた球体の内部をくり抜いて遺骨や遺品を収納するようにした収納部と、前記端面の内周面に形成される固定側ねじを備える本体と、
（ｂ）写真を装着することができ、可動側ねじが形成される化粧板と、
（ｃ）前記本体を保持する台座とを具備することを特徴とする手元供養用骨つぼ。
【請求項２】
請求項１記載の手元供養用骨つぼにおいて、前記化粧板が外周平坦面上に刻印による表示部を有する押さえリングを具備することを特徴とする手元供養用骨つぼ。
【請求項３】
請求項１又は２記載の手元供養用骨つぼにおいて、前記化粧板が外周平坦面上に治具係合孔を形成する押さえリングを具備することを特徴とする手元供養用骨つぼ。
【請求項４】
請求項１記載の手元供養用骨つぼにおいて、前記収納部内に配置する前記遺骨や遺品を入れるカプセルを有することを特徴とする手元供養用骨つぼ。
【請求項５】
請求項１記載の手元供養用骨つぼにおいて、前記収納部内に配置する前記遺骨や遺品を入れる布袋を有することを特徴とする手元供養用骨つぼ。
【考案の詳細な説明】
【技術分野】
【０００１】
本考案は、葬儀用具としての手元供養用骨つぼに関するものである。
【背景技術】
【０００２】
従来の骨つぼ（骨壺）は、墓所に収納するものが一般的であり、陶器類、石材や炭粉末とバインダーなどで製作されている（下記特許文献１，２参照）。
近年、価値観や生活環境の多様化に伴い、葬儀や供養の仕方が変化してきている。特に、墓所が自宅から遠方にある場合、墓参りに要する時間や交通費といった経済的な面など様々な理由で墓参りができない事情が増加している。かかる状況から、「時代に合った新しい供養のかたち」として「手元供養」が求められるようになってきている。
【０００３】
また、家庭で安置できる写真付きの骨つぼも提案されている（下記特許文献３参照）。しかし、この骨つぼは、写真の装着や設定を自在にできるものではなかった。
更に、現代のインテリアやライフスタイルに世代・背景を問わず調和するデザイン・機能を有する追憶・分骨ケースも提案されている（下記特許文献４参照）。
しかし、これらの骨つぼや追憶・分骨ケースは、故人を偲ぶのに、重量感と荘重感に欠けるものであった。
【先行技術文献】
【特許文献】
【０００４】
【特許文献１】特開２００９−２０７６３５号公報
【特許文献２】特開２００９−１３６３４８号公報
【特許文献３】特開２００９−０３４４９８号公報
【特許文献４】特開２００８−２８４３１５号公報
【考案の概要】
【考案が解決しようとする課題】
【０００５】
本考案は、上記状況に鑑みて、世話になった大切な故人を手元で絶えず見守り、掌に抱くこともできて、大切に供養するにふさわしい、重量感と荘重感を有するとともに美観的に優れた手元供養用骨つぼを提供することを目的とする。
【課題を解決するための手段】
【０００６】
本考案は、上記目的を達成するために、
〔１〕手元供養用骨つぼにおいて、アルミニウム合金からなる球体を一部カットした端面と、この端面から前記カットされた球体の内部をくり抜いて遺骨や遺品を収納するようにした収納部と、前記端面の内周面に形成される固定側ねじを備える本体と、写真を装着することができ、可動側ねじが形成される化粧板と、前記本体を保持する台座とを具備することを特徴とする。
【０００７】
〔２〕上記〔１〕記載の手元供養用骨つぼにおいて、前記化粧板が外周平坦面上に刻印による表示部を有する押さえリングを具備することを特徴とする。
〔３〕上記〔１〕又は〔２〕記載の手元供養用骨つぼにおいて、前記化粧板が外周平坦面上に治具係合孔を形成する押さえリングを具備することを特徴とする。
〔４〕上記〔１〕記載の手元供養用骨つぼにおいて、前記収納部内に配置する前記遺骨や遺品を入れるカプセルを有することを特徴とする。
【０００８】
〔５〕上記〔１〕記載の手元供養用骨つぼにおいて、前記収納部内に配置する前記遺骨や遺品を入れる布袋を有することを特徴とする。
【考案の効果】
【０００９】
本考案によれば、
（１）世話になった大切な故人を手元で絶えず見守り、大切に供養するにふさわしい、重量感と荘重感を有するとともに美観的に優れた手元供養用骨つぼを提供することができる。
（２）手元供養用骨つぼの本体は、アルミニウム合金からの総削り出しとしたので、光沢がよく、かつ、アルミニウムは空気中で酸化皮膜を生成し、この酸化皮膜が腐食を自然に防止する自己補修作用があるため、耐蝕性が良く、いつまでも美しさを保つことができる。
【００１０】
（３）押さえリングを回転させて、本体から化粧板を外すことにより、本体の収納部に遺品や遺骨などを収納することができる。収納後は、再び化粧板を本体に装着することにより、手元供養用骨つぼをセットすることができる。
（４）化粧板に装着される写真は、押さえリングを回転させて、本体から化粧板を外すことにより取替えが自在である。
【００１１】
（５）台座上の手元供養用骨つぼの本体はその向きを自在に変えて、化粧板の向きを調整することができる。
【図面の簡単な説明】
【００１２】
【図１】本考案の実施例を示す手元供養用骨つぼの全体構成を示す斜視図である。
【図２】本考案の実施例を示す手元供養用骨つぼの本体を示す斜視図である。
【図３】本考案の実施例を示す手元供養用骨つぼの本体を保持する台座の斜視図である。
【図４】本考案の実施例を示す手元供養用骨つぼの本体の端面を上方（ｚ軸方向）に向けた六面図である。
【図５】図１に示すＡ−Ａ′線で切り取った手元供養用骨つぼの分解断面図である。
【図６】本考案の実施例を示す化粧板の分解斜視図である。
【図７】本考案の実施例を示す化粧板の押さえリングの斜視図である。
【図８】本考案の実施例を示す手元供養用骨つぼの本体内に配置するカプセルの斜視図である。
【図９】本考案の実施例を示す手元供養用骨つぼの本体内に配置する布袋を示す正面図である。
【考案を実施するための形態】
【００１３】
本考案の手元供養用骨つぼは、アルミニウム合金からなる球体を一部カットした端面と、この端面から前記カットされた球体の内部をくり抜いて遺骨や遺品を収納するようにした収納部と、前記端面の内周面に形成される固定側ねじを備える本体と、写真を装着することができ、可動側ねじが形成される化粧板と、前記本体を保持する台座とを具備する。
【実施例】
【００１４】
以下、本考案について図面を参照しながら詳細に説明する。
図１は本考案の実施例を示す手元供養用骨つぼの全体構成を示す斜視図、図２はその手元供養用骨つぼの本体を示す斜視図、図３はその手元供養用骨つぼの本体を保持する台座の斜視図、図４は本考案の実施例を示す手元供養用骨つぼの本体の端面を上方（ｚ軸方向）に向けた六面図であり、図４（ａ）は上面図、図４（ｂ）は左側面図、図４（ｃ）は右側面図、図４（ｄ）は正面図、図４（ｅ）は裏面図、図４（ｅ）は底面図である。図５は図１のＡ−Ａ′線で切り取った手元供養用骨つぼの分解断面図、図６は本考案の実施例を示す化粧板の分解斜視図、図７はその化粧板の押さえリングの斜視図である。
【００１５】
これらの図において、１は手元供養用骨つぼの本体であり、この本体１はアルミニウム合金からなる球体を一部カットして形成した端面２と、この端面２からカットされた球体１の内部をくり抜いて遺骨や遺品を収納するようにした収納部３と、端面２に装着される化粧板４とを具備している。この化粧板４は、図６に示すように、下から順に、白色のアクリル板からなる円板状の蓋４Ａと、その円板状の蓋４Ａ上に装着される写真４Ｂと、その写真４Ｂ上に装着される透明な上面凸状窓部４Ｃを有する透明なアクリル板４Ｄと、その透明なアクリル板４Ｄ上に装着されるステンレス材からなる押さえリング４Ｅからなる。押さえリング４Ｅは、底面に外径が小さい底面凸部４Ｆが形成されており、その底面凸部４Ｆの外周面に可動側ねじ４Ｇが形成されている。また、この押さえリング４Ｅの外周平坦面上には、戒名や名前や日にちなど刻印することができる表示部（図１参照）として構成することができる。また、後述するが治具係合孔４Ｈを形成するようにしてもよい。図５には各部の寸法例を示しており、ここで、Ｍはｍｍねじ、Ｐはｍｍピッチ、Φは直径ｍｍを示している。
【００１６】
一方、手元供養用骨つぼの本体１の端面２には、化粧板４が装着され、可動側ねじ４Ｇと螺合することによって化粧板４を固定する固定側ねじ２Ｃが内周面に形成された第１の段部２Ａと、第１の段部２Ａよりも大きく押さえリング４Ｅの外径と一致する内径を有する第２の段部２Ｂが形成されており、最表面には平坦な外表面部２Ｄが形成されている。
そこで、手元供養用骨つぼの本体１に形成された端面２の第１の段部２Ａに、円板状の蓋４Ａと写真４Ｂとアクリル板４Ｄと押さえリング４Ｅを順次装着し、第１の段部２Ａの固定側ねじ２Ｃに押さえリング４Ｅの可動側ねじ４Ｇを螺合することにより、第２の段部２Ｂの内側に押さえリング４Ｅが固定される。
【００１７】
そこで、押さえリング４Ｅを回転させて、本体１から化粧板４を外すことにより、本体の収納部に遺骨や遺品などを収納することができる。その押さえリング４Ｅを回転させる場合には、押さえリング４Ｅに形成されている治具係合孔４Ｈに図示していないが治具（ピン）を係合させて容易に押さえリング４Ｅが回転できるように構成することができる。遺骨や遺品などを収納後は、再び化粧板４を本体１に装着することにより、手元供養用骨つぼをセットすることができる。
【００１８】
化粧板４に装着される写真４Ｂは押さえリング４Ｅを回転させて、本体１から化粧板４を外すことにより、取替えが自在である。
このように構成された手元供養用骨つぼは、図５に示す分解図に示されたサイズの場合、その重量は１．２００ｇに及ぶため、重量感と荘重感を備えるとともに美観的に優れており、手元で絶えず見守り、大切に供養するにふさわしい手元供養用骨つぼを提供することができる。
【００１９】
また、本体１は、アルミニウム合金からの総削り出しとしたので、光沢がよく、かつ、アルミニウムは空気中で酸化皮膜を生成し、この酸化皮膜が腐食を自然に防止する自己補修作用があるため、耐蝕性が良く、いつまでも美しさを保つことができる。さらに、腐食防止用イリダイト処理が施されている。
なお、製品としては、天然ダイヤモンドで削ったアルミニウム合金の鏡面仕上げで製作した。
【００２０】
さらに、上記した手元供養用骨つぼの本体１の底面側の球面形状部を台座５で保持するようにしている。この台座５は、厚い円筒形状の台座本体５Ａと球面形状部を受け入れるための球面形状凹部５Ｂを有している。また、球面形状凹部５Ｂの表面にはクッション部材５Ｃを適宜配置することにより、台座５上に手元供養用骨つぼの本体１を安定して保持することができる。
【００２１】
また、手元供養用骨つぼの本体１の化粧板４の向きは、台座５の上面で本体１を滑らせることにより自由に変えられるので、化粧板４が見やすい向きになるように本体１の方向を設定することができる。よって、台座５が配置される高さ位置（仏壇の高さ位置など）に応じて、化粧板４の向きを設定して化粧板４を見やすい向きに変えることができる。
図８は本考案の実施例を示す手元供養用骨つぼの本体内に配置するカプセルの斜視図であり、図８（ａ）は蓋を閉じた状態を示す斜視図、図８（ｂ）は蓋を開けた状態を示す斜視図、図９は本考案の実施例を示す手元供養用骨つぼの本体内に配置する布袋を示す正面図である。
【００２２】
図８において、６はアルミニウム合金からなるカプセルであり、円筒形状のカプセル本体６Ａと、そのカプセル本体６Ａに被着するキャップ６Ｂとを備えている。このカプセル６には遺骨や遺品を収納することができる。
また、遺骨や遺品などは、図９に示すような紐８付きの布袋７に収納した上でカプセル６に入れるか、または布袋７を直接手元供養用骨つぼの本体１の収納部３に収納するようにしてもよい。
【産業上の利用可能性】
【００２３】
本考案の手元供養用骨つぼは、世話になった大切な故人を手元で絶えず見守り、掌に抱くこともできて、大切に供養するにふさわしい、重量感と荘重感を有するとともに美観的に優れた手元供養用骨つぼとして利用可能である。
【符号の説明】
【００２４】
１    手元供養用骨つぼの本体
２    端面
２Ａ    第１の段部
２Ｂ    第２の段部
２Ｃ    固定側ねじ
２Ｄ    外表面部
３    収納部
４    化粧板
４Ａ    円板状の蓋
４Ｂ    写真
４Ｃ    上面凸状窓部
４Ｄ    アクリル板
４Ｅ    押さえリング
４Ｆ    底面凸部
４Ｇ    可動側ねじ
４Ｈ    治具係合孔
５    台座
５Ａ    円筒形状の台座本体
５Ｂ    球面形状凹部
５Ｃ    クッション部材
６    カプセル
６Ａ    カプセル本体
６Ｂ    キャップ
７    布袋
８    紐
【図１】
0003158517.tif 000003
【図２】
0003158517.tif 000004
【図３】
0003158517.tif 000005
【図４】
0003158517.tif 000006
【図５】
0003158517.tif 000007
【図６】
0003158517.tif 000008
【図７】
0003158517.tif 000009
【図８】
0003158517.tif 000010
【図９】
0003158517.tif 000011